(57)【要約】      （修正有）【課題】簡易な作業にて移動定規を開閉移動し、且つロックおよび解除することができる加工板材の成型機前芯合わせ正対させる新規の制御装置を提供する。【解決手段】成型機前に設ける平行軸に跨って左右の移動定規をセンター振り分けにて開閉移動するようにした加工板材の成型機前芯合わせ装置において、該左右の移動定規の一方にロック用の短軸を先端に有す開閉移動するためのレバーを設け、該レバーの前倒しにて先端の短軸を平行軸のひとつに直進圧接することで左右の移動定規を瞬時にロックし、該レバーの戻しにて左右の移動定規のロックを解除するようにしたことを特徴とする。【選択図】図４
0003152223.tif 000002
【実用新案登録請求の範囲】
【請求項１】
成型機前に設ける平行軸に跨って左右の移動定規をセンター振り分けにて開閉移動するようにした加工板材の成型機前芯合わせ装置において、該左右の移動定規の一方にロック用の短軸を先端に有す開閉移動のためのレバーを設け、該レバーの前倒しにて先端の短軸を平行軸のひとつに直進圧接することで左右の移動定規を瞬時にロックし、該レバーの戻しにて左右の移動定規のロックを解除するようにしたことを特徴とする加工板材を成型機に芯合わせ正対させる移動定規の簡易制御装置。
【請求項２】
ロック用の短軸の先端に押しロックによる平行軸の圧接損傷を防止する合成樹脂等の緩衝材を取付けする請求項１に記載の加工板材を成型機に芯合わせ正対させる移動定規の簡易制御装置。
【請求項３】
ロック用の短軸を前後二股に分けて平行軸のそれぞれに圧接させる請求項１または２に記載の加工板材を成型機に芯合わせ正対させる移動定規の簡易制御装置。
【請求項４】
平行軸に平坦なロック面を形成し、且つ該ロック面に縦縞溝を並設してロック時の横すべりを防止するようにする請求項１乃至３のいずれかに記載の加工板材を成型機に芯合わせ正対させる移動定規の簡易制御装置。
【請求項５】
平行軸は縦縞溝にかえて摩擦止め用のゴム板を張設する請求項４に記載の加工板材を成型機に芯合わせ正対させる移動定規の簡易制御装置。
【請求項６】
ロック用の短軸の先端面に縦縞溝または摩擦用のゴム板を設ける請求項４また５に記載の加工板材を成型機に芯合わせ正対させる移動定規の簡易制御装置。
【考案の詳細な説明】
【技術分野】
【０００１】
本考案は、加工板材を成型機に芯合わせ正対させる移動定規の簡易制御装置に関するものである。
【背景技術】
【０００２】
従来、この種の移動定規は、図７（ａ）（ｂ）に示すようにハンドルの手廻しにて止ネジを回転前進させてロックし、逆廻しにてロックを解除するようにしている。
いずれも止ネジを回転により進退させるために、ハンドルを何回も回転させる必要があって、しかもロックの解除の際には止めネジの戻しに力が必要なためにハンドルの戻し回動に多大な労力を要していた。
【先行技術文献】
【特許文献】
【０００３】
【特許文献１】なし
【考案の概要】
【考案が解決しようとする課題】
【０００４】
従来は加工板材を開閉する左右の移動定規にて挟み止めてロックする際に一方の手でハンドルを持ち、他方の手で移動定規が動かないように押えるために、両手使いによる細心の注意を必要としており、しかも止ネジの回転出しによるロックのためにハンドルを何回も廻すことで緊張時間が長く続くという課題があった。その解除にはロック以上の強い力を要すことで作業員の負担が大きいという課題があった。
またロックの締め付けが強すぎると、止ネジの捻れ当たりによって平行軸を損傷し、さらに軸受（スライド用のベアリング）を破損して移動定規の開閉移動を不能にするという課題があった。
【課題を解決するための手段】
【０００５】
本考案は、加工板材を成型機に芯合わせ正対させる左右の移動定規を平行軸に跨ってセンター振り分けにて開閉移動するようにし、左右の移動定規の一方にロック用の短軸を先端に有す開閉移動のためのレバーにて該移動定規を開閉移動させ、且つ該レバーの前倒しにて短軸を前進させて左右の移動定規を瞬時にロックし、該レバーの戻しにより左右の移動定規のロックを解除するようにして、かかる課題を解決したのである。
【考案の効果】
【０００６】
本考案は、レバーを持って移動定規を開閉移動させることができ、且つ該レバーを起倒操作することで左右の移動定規を瞬時にロックし解除することができて、片手にて加工板材の芯合わせ正対作業を能率よく進めることができることになるという効果を生ずる。レバーの起倒というごく単純な操作によってロックと解除ができ、力も必要としないという効果を生ずる。
【図面の簡単な説明】
【０００７】
【図１】本考案の一実施例を示す平面図
【図２】同、正面図
【図３】同、側断面図
【図４】レバー部分の拡大側面図で、（ａ）はロック解除により開閉移動を可能とした状態、（ｂ）はレバーを前倒ししてロックした状態
【図５】（ａ）（ｂ）は平行軸に平坦なロック面を形成した実施例を示すもので、（ａ）はロックの解除状態にして示す側面図、（ｂ）はロック面に縦縞溝を並設した例を示す拡大部分斜視図、（ｃ）はロック面に摩擦止め用のゴム板を張設した実施例を示す拡大部分斜視図
【図６】短軸を前後二股に分けて平行軸のそれぞれに圧接させる実施例を示す側面図
【図７】（ａ）は従来例の開閉移動時の状態、（ｂ）は同、ロック時の状態を示す部分拡大側面図
【考案を実施するための形態】
【０００８】
本考案は、成型機の前を横断するように設ける２本の平行軸に跨って左右の移動定規をセンター振り分けにて開閉移動するようにし、左または右の移動定規に設けたレバーを持って左右の移動定規を開閉移動させ、さらに該レバーの起倒操作にて瞬時にロックとその解除ができるようにした簡易制御装置にある。
【実施例１】
【０００９】
ロール成型機１の手前に２本の平行軸２ａ，２ｂを横断するように設ける。該平行軸２ａ，２ｂに跨ってセンター振り分けにて開閉移動する左右の移動定規３ａ，３ｂを設ける。移動定規３ａ，３ｂは上記したようにセンター振り分けにて、一方を移動させると他方も対称移動するものであり、対称移動は公知のチェーン連動機構４によって行われる。
【００１０】
一方の移動定規３ａの側面に上向きにてレバー５を取付け、該レバー５の先端に前倒しにより前進して平行軸２ａに押し当接して移動定規３ａ，３ｂをロックし、戻しによりロックを解除する短軸５ａを設け、短軸５ａの前端に合成ゴム，合成樹脂等にてなる滑り止め兼用の緩衝材５ｂを取付けてロックによって平行軸が損傷することがないようにしている。６はレバー５の振れを防止するためのガイドである。
【００１１】
移動定規３ａ，３ｂは断面視Ｌ形で、内側の平面３ｃにて加工板材Ｋの両端下を下支えして、外側の垂直面３ｄにて加工板材Ｋの両端を押えてロール成型機１に芯合わせ正対するようにしている。
【００１２】
加工板材Ｋをロール成型機１の成型ラインに芯合わせ正対させる際は、レバー５を起こしてロックを解除しておいて、加工板材Ｋを移動定規３ａ，３ｂ間に載せる。加工板材Ｋの幅が大きいときは左右の移動定規３ａ，３ｂを開き移動して加工板材Ｋの幅より拡げて加工板材Ｋを載せ、しかる後レバー５を持って閉じ作動して左右の移動定規３ａ，３ｂにて加工板材Ｋをガッチリ挟んで芯合わせ正対させるのである。なお７は平行軸２ａ，２ｂ間に設けた加工板材Ｋの中央下支え部材である。
【００１３】
次いで図４（ｂ）に示すようにレバー５を前倒しして短軸５ａを前進させて平行軸２ａに押し当ててロックするのである。短軸５ａはストレートに直進するために瞬時にロックすることとなる。レバー５を戻し起こすとロックは解除されて次の加工板材Ｋの芯合わせに備えられる。移動定規３ａ，３ｂの開閉移動とロックおよび解除をひとつのレバー５の操作にて簡易且つスピーディに行うことができるものとなる。
【００１４】
レバー５は利き腕の違いに応じて操作しやすいように、両方の移動定規３ａ，３ｂに取付けることもあるが、その場合もいずれか一方のレバー操作にて移動定規の開閉移動とロックおよび解除を行うことができる。
【実施例２】
【００１５】
図５は平行軸２ａの短軸側に平坦なロック面２ｃを形成し、図５（ｂ）に示すようにロック面２ｃに凹凸の連続する縦縞溝２ｄを並設した例を示すものである。平坦なロック面２ｃにより圧接面積が増加するとともに縦縞溝２ｄによってロック時の横すべりを確実に防止するものとなる。
なお、縦縞溝２ｄを設けることにかえて、図５（ｃ）に示すように摩擦止め用のゴム板２ｅを設けることもある。
図示してないが短軸２ａの先端に縦縞溝を形成し、または摩擦止め用のゴム板を張設することもある。
【実施例３】
【００１６】
図６はレバー５の起倒によって直進圧接する短軸を前後二股に分けて平行軸２ａ，２ｂのそれぞれに圧接させるようにした例を示すもので、短軸５ａ，５ｃが前後の平行軸２ａ，２ｂに同時且つ均等に圧接することで摩擦力が格段に向上するものとなる。なお前記したように平行軸２ａ，２ｂにロック面２ｃを設けて縦縞溝２ｄを並設することもある。
【産業上の利用可能性】
【００１７】
本考案はレバーの起倒という簡易な操作にて左右の移動定規をロックし解除することができて、成型機に加工板材をスピーディに芯合わせ正対させることで広く利用されるものである。
【符号の説明】
【００１８】
１はロール成型機
２ａ，２ｂは平行軸
２ｃは平坦なロック面
２ｄは縦縞溝
２ｅは摩擦止め用のゴム板
３ａ，３ｂは移動定規
３ｃは平面
３ｄは垂直面
４はチェーン連動機構
５はレバー
５ａ，５ｃは短軸
５ｂ，５ｄは緩衝材
６はガイド
７は中央下支え部材
Ｋは加工板材
【図１】
0003152223.tif 000003
【図２】
0003152223.tif 000004
【図３】
0003152223.tif 000005
【図４】
0003152223.tif 000006
【図５】
0003152223.tif 000007
【図６】
0003152223.tif 000008
【図７】
0003152223.tif 000009